(57)【要約】【課題】横架材を左右の支柱間に容易にかつ的確に取り付けることができ、ネジの緊締力の低下に伴い生じるふらつき等を抑制して適正な使用状態を確保することができる横架材の取付構造を提供する。【解決手段】横架材３を左右の柱構造体Ｋの間に取り付けるものにおいて、柱構造体Ｋを構成する支柱１の少なくとも一部に奥行方向及び巾方向に同時に延びる傾斜壁１３を形成するとともに、横架材３の両端に傾斜壁１３に対応する角度をなして延びる取付面たる横壁３２を設け、傾斜壁１３と横壁３２を引きつけて固定するネジ要素Ｎを用いて横架材３を支柱１に取り付けた。【選択図】図６
2004008498.tif 000002
【特許請求の範囲】
【請求項１】
横架材を左右の柱構造体の間に取り付けるものであって、
柱構造体を構成する支柱の少なくとも一部に奥行方向及び巾方向に同時に延びる傾斜壁を形成するとともに、横架材の両端に傾斜壁に対応する角度をなして延びる取付面を設け、傾斜壁と取付面を引きつけて固定する止め具を用いて横架材を支柱に取り付けることを特徴とする横架材の取付構造。
【請求項２】
横架材を左右の柱構造体の間に取り付けるものであって、
柱構造体を構成する支柱の少なくとも一部に奥行方向及び巾方向に同時に延びる傾斜壁を形成するとともに、横架材の両端に傾斜壁に対応する角度をなして延びる取付面を設け、取付面の一部を貫通するネジ要素のネジ作用により取付面を傾斜壁に圧接させて横架材を支柱に取り付けることを特徴とする横架材の取付構造。
【請求項３】
傾斜壁の一部に凹部を設け、この凹部に収容した台座に前記ネジ要素を係わり合わせていることを特徴とする請求項２記載の横架材の取付構造。
【請求項４】
凹部が連続溝状のものであり、台座が凹部に沿って延び所要箇所にネジ孔を有する板ナットであることを特徴とする請求項３記載の横架材の取付構造。
【請求項５】
凹部は開口に対し内空の拡がったものであって、長手方向に沿って前記板ナットを挿入していることを特徴とする請求項４記載の横架材の取付構造。
【請求項６】
傾斜壁の凹部内に前記板ナットを配置し、ネジ要素をネジ孔にねじ込んで取付面を傾斜壁に圧接させることを特徴とする請求項４又は５記載の横架材の取付構造。
【請求項７】
傾斜壁が奥行方向及び巾方向に同時に略４５゜の角度をなして延びるものであることを特徴とする請求項１、２、３、４、５又は６記載の横架材の取付構造。
【請求項８】
支柱の後壁が一対の傾斜壁により形成されていることを特徴とする請求項１、２、３、４、５、６又は７記載の横架材の取付構造。
【発明の詳細な説明】
【０００１】
【発明の属する技術分野】
本発明は、机等の構造体に適用されるものであって、横架材を左右の支柱間に容易にかつ的確に取り付けることができ、使用時に生じ得るふらつきを抑制して好適に使用できる横架材の取付構造に関するものである。
【０００２】
【従来の技術】
例えばラック等の構造体において、横架材を左右の支柱間に取り付ける構造としては、横架材の両端を各支柱の後壁（背面）に宛い、横架材の両端とその両端に接する支柱の面とを引きつけて固定するネジ等の止め具等を用いて横架材を支柱の奥行方向に取り付けるものが挙げられる。
【０００３】
【発明が解決しようとする課題】
ところが、かかる取付構造による場合、ネジ等の締め付けが緩くなると、ネジ止め部分を支点に構造体全体が正面視略平行四辺形状に変形し易くなる。そこで、支柱の巾方向のふらつきを抑制してこのような変形を防止するために、横架材の両端を各支柱の内法側の側壁（側面）に当接又は近接させて、前記と同様の止め具等を用いて横架材を支柱の巾方向に取り付ける構造が採用される場合もある。しかしながら、このような取付構造によると、平行四辺形状の変形は防止できるものの、ネジ等の緊締力の低下に伴って、奥行方向への取付構造では見られなかったネジ止め部分を支点とする左右の支柱の首振り動作を引き起こされ易くなるため、やはり適正な使用状態が損なわれる。また、このような構造であると、支柱の内法側から支柱の側壁に対して垂直方向にネジ止めを行わなければならず、ネジ止めのための作業空間を十分に確保できずに、取付強度が不十分なものとなり易い。
【０００４】
本発明は、以上のような不具合に鑑みて、使用時に生じ得る構造体全体の平行四辺形状の変形や支柱の首振りを抑制するとともに、ネジ止めに必要な十分な作業空間を確保できる横架材の取付構造を提供することを主たる目的としている。
【０００５】
【課題を解決するための手段】
本発明は、かかる目的を達成するために、次のような構成を採用したものである。
【０００６】
すなわち、本発明に係る横架材の取付構造は、横架材を左右の柱構造体の間に取り付けるものであって、柱構造体を構成する支柱の少なくとも一部に奥行方向及び巾方向に同時に延びる傾斜壁を形成するとともに、横架材の両端に傾斜壁に対応する角度をなして延びる取付面を設け、傾斜壁と取付面を引きつけて固定する止め具を用いて横架材を支柱に取り付けることを特徴とする。
【０００７】
このようなものであれば、支柱と横架材との取付部分を奥行方向及び巾方向に同時に延びる傾斜壁に設けているため、従来例として挙げた２つの取付構造を一の取付構造で両立することができ、それぞれの構造の利点を損なうことなく、止め具の緊締力の低下に伴うネジ止め部分を支点とする平行四辺形状の変形や支柱の首振り動作を防ぎ、適正な使用状態を維持することができる。また、このような構造であれば、支柱の斜め方向から止め具を固定して横架材を支柱に取り付けるため、固定のための十分な作業空間を確保することができる。
【０００８】
また、横架材を左右の柱構造体の間に取り付けるものであって、柱構造体を構成する支柱の少なくとも一部に奥行方向及び巾方向に同時に延びる傾斜壁を形成するとともに、横架材の両端に傾斜壁に対応する角度をなして延びる取付面を設け、取付面の一部を貫通するネジ要素のネジ作用により取付面を傾斜壁に圧接させて横架材を支柱に取り付けるものであれば、前記と同様の効果を発揮し、加えて、ネジ要素を用いて横架材を支柱に簡単かつ緊密に固定することができるため、十分な取付強度を付与することができ、ふらつきの発生を効果的に抑制することができるとともに、取付作業性をさらに向上させることができる。
【０００９】
このような構成において、傾斜壁の一部に凹部を設け、この凹部に収容した台座に前記ネジ要素を係わり合わせているものとすれば、例えば支柱が一体に押し出し成形されたのものであっても、別部材である台座を用いてネジ要素と係わり合う構造を支柱内部に容易に設けることができる。しかも、ネジ要素と係わり合う構造の具体的な大きさや形状をネジ要素の種類等に対応させて適宜設計変更することが可能となり、凹部内における係わり合いを確実に行わせることができ、横架材と支柱との取付強度を有効に高めることができる。
【００１０】
より具体的な構成としては、凹部がネジ要素を挿入し得る連続溝状のものであり、台座が凹部に沿って延び所要箇所にネジ孔を有する板ナットであることが望ましい。このようなものであると、板ナットの必要箇所に設けた何れかのネジ孔を選択してネジ要素を係わり合わせることができ、横架材を所望の支柱の高さ位置に容易に取り付けることができる。
【００１１】
また、凹部が開口に対して内空の拡がったものであり、凹部の長手方向に沿って板ナットを挿入しているものであれば、板ナットを凹部の内空に収容した状態において、ネジ孔を開口を介して開放させることができるとともに、開口部分を板ナットのストッパとして機能させることができる。
【００１２】
特に、傾斜壁の凹部内にネジ孔を有する台座を配置し、ネジ要素をネジ孔にねじ込んで取付面を傾斜壁に圧接させるようにすれば、より確実かつ緊密に取付面と傾斜面とを固定することができ、支柱のふらつきや首振り動作を防止して、安定した取付状態を確保することができる。
【００１３】
より好ましくは、傾斜壁が奥行方向及び巾方向に同時に略４５゜の角度をなして延びるものが考えられる。
【００１４】
加えて、支柱の後壁が一対の傾斜壁により形成されているものとすると、例えば複数の支柱を配置した場合に、各支柱間の後壁側に横架材を取り付けることができ、支柱の前壁側を例えば棚等を取り付けるための領域として利用することが可能となり、様々な使用態様に対応し得ることができより実用性のあるものとなる。
【００１５】
【発明の実施の形態】
以下、本発明の一実施形態を、図面を参照して説明する。
【００１６】
この実施例のラックは、本発明の横架材３の取付構造を適用したものであり、図１〜図４に示すように、例えば机等の天板Ｔ上に配置されるものであって、左右対をなす柱構造体Ｋを横架材３を介して相互に自立可能に連結され、柱構造体Ｋの一部に設けたフック孔１ａ等を利用して必要に応じて棚４又は拡張棚５を取り付けることができるように構成されている。
【００１７】
柱構造体Ｋは、前壁１１に複数のフック孔１ａを開口させてなる中空体状の支柱１と、この支柱１の下端部より前方に向けて延びるベース２とからなるものである。
【００１８】
詳述すると、支柱１は、図５に拡大断面図で図示するように、アルミ素材を押し出し成形することにより後壁側を奥行方向及び巾方向に同時に略４５゜の角度をなして延びる一対の傾斜壁１３から形成する平断面視略五角形状の中空剛体として構成されたものであり、前壁１１に支柱１の上端から下端に亘る２列の第１のスリット１４を、左右の側壁１２に支柱１の上端から下端に亘る第２のスリット１５を形成してなるものである。前記第１のスリット１４の奥方の空間１４Ｓ内には後述するフック４１ｆ、５１ｆを挿入し得るフック孔１ａを縦方向に所定間隔離間して複数設けた平面視Ｌ字状の取付金具１Ａを備えている。この取付金具１Ａを前壁１１の裏面及び側壁１２の裏面に当接又は近接するように前記空間１４Ｓの内部に嵌め入れた状態において、フック孔１ａが前記第１のスリット１４を介して支柱１の前壁１１側に開放されている。また、第２のスリット１５は、後述する固定部材６の突出部６３を挿入させて嵌め合わせるものであり、前記フック孔１ａから略水平方向に変位した位置に形成され、一定の開口巾をもって支柱１内において前壁１１側へ向かって斜め向きに設けてある。後壁を形成する一対の傾斜壁１３にはそれぞれ本発明の凹部たる連続溝状の第３のスリット１６を有し、第３のスリット１６の開口よりも広く形成されている内空に、ネジ孔１ｂを有する板ナット１Ｂを長手方向に挿入している。なお、支柱１の上方の開口端には着脱可能なキャップ１７が装着されて外観の向上を図っている。
【００１９】
ベース２は、スチール製のものであり、このベース２の後壁側の一部を部分的に支柱１の中空部内に嵌め合わせて装着し、その位置で支柱１に設けた図示しない固定ナット部にベース２の肉厚内を貫通したネジをそれぞれネジ止めして、ベース２及び支柱１を相互に強連結している。ベース２の先端部及び後端部の背面には机の天板Ｔに接地する位置にそれぞれ接地体２１を取り付けてある。
【００２０】
横架材３は、図６に示すように、板金素材等の対向する上下の２辺をそれぞれ２段階に折り曲げ加工して、前面３１の上端から下向きＬ字形に、前面の下端から上向きＬ字形に形成したものであり、左右の両端に前記支柱１の傾斜壁１３に対応する角度をなして延びる本発明の取付面たる横壁３２を一体に設けてある。また、横壁３２には、前記傾斜壁１３内に設けた板ナット１Ｂのネジ孔１ｂと一致する位置に長孔３２ｂを上下に２つ形成している。なお、下端側のＬ字形の部材３３は配線コード（図示省略）を収容するスペースとして利用することができる。
【００２１】
次に、横架材３を支柱１に取り付ける方法について説明する。
【００２２】
まず、横架材３を支柱１に取り付けるには、図６に矢印で示すように、左右の支柱１の傾斜壁１３に横架材４の横壁３２を衝き当て、横壁３２に設けた長孔３２ｂが板ナット１Ｂに設けたネジ孔１ｂと一致するように横壁３２を位置決めする。そして２つのネジ要素Ｎ（図中には便宜上１つのネジ要素Ｎのみを図示）を支柱１の斜め後方からそれぞれ長孔３２ｂ及びネジ孔１ｂにネジこむことにより、この横壁３２を傾斜壁１３に圧接させて、横架材３を支柱１に強く接合することができる。このようにして、本実施例では支柱１の上端部及び下端部にそれぞれ横架材３を取り付けている。
【００２３】
以上の構成からなるものにおいて、物品積載面を有する棚４や、物品積載面を拡張する拡張棚５を支柱１に取り付けることも可能である。
【００２４】
棚４は、左右の支持部材４１に上面を物品積載面として機能する棚板部材４２を横架して構成され、支持部材４１と棚板部材４２とを溶接継手を介して一体的に剛結したものである。支持部材４１は、板金素材の対向２辺を折り曲げて頂板の両側に側板４１ａを形成してなり、外方側の側板４１ａの厚み寸法を長手方向略中間部から後端部の領域に亘って漸次大きくなるように形成するとともにその後端縁に前記フック孔１ａに係わり合うフック４１ｆを設けている。このフック４１ｆは、側板４１ａの後端縁から一体に後方に延ばした基端部と、この基端部の先端から下方に向けて一体に延ばした爪部とを備えたものであり、このようなフック４１ｆが外方側の各側板４１ａに上下２つずつ設けてある。また、棚板部材４２には、左右の後端に棚４を支柱１に取り付けた場合に前記支柱１の前壁１１及び側壁１２に嵌合し得る切欠部をそれぞれ形成し、後端側の底面に図示しない下向き略コ字形の補強部材を溶接継手を介して一体に取り付けている。このような形状とすることによって構造的強度や、積載可能重量の向上をそれ自身が簡素でありながら実現できるように構成されている。
【００２５】
拡張棚５は、左右の支持部材５１に上面を物品積載面として機能する拡張棚板部材５２を横架し溶接継手を介して剛結したものであって、後述する固定部材６等を用いて支柱１に取り付けられるものである。一方の支持部材５１は板金素材等の対向する２辺を折り曲げ加工して下向きコ字形としたものであり、他方の支持部材５１は下向き略コ字形をなし外方側の側板５１ａの後端に前記棚４の側板４１ａの後端に設けたフック４１ｆとほぼ同形状のフック５１ｆを上下に２つずつ設けてある。拡張棚板部材５２は、前記フック５１ｆを設けた支持部材５１に支持される側の後端に前記支柱１の前壁１１及び側壁１２の形状に対応する切欠部を形成している。また、拡張棚板部材５２の後端側の底面に、左右の支持部材５１間の部位に亘り板金素材の対向２辺を折り曲げて前板５３ａ、基板５３ｂ及び後板５３ｃとを一体に形成した長手方向下向き略コ字形の補強部材５３を溶接等して一体に取り付けてある。補強部材５３は、基板５３ｂ及び後板５３ｃより長手方向に長く形成した前板５３ａの側端を前記フック５１ｆを設けた側板５１ａに当てるように取り付けられたものであり、基板５３ｂの一側端から後述する固定部材６の第１の押当面６１に押し当てられる横板５３ｄを一体に突出して設けている。また、横板５３ｄの所定箇所にはネジ孔５３ｅを形成し、後板５３ｃと横板５３ｄとが交叉し得る位置に後述する固定部材６の突出部６３が通過し得る挿入開口部５３ｇを有している。
【００２６】
固定部材６は、図７に示するように、前記横板５３ｄを押し当てる第１の押当面６１と、第１の押当面６１の一端から連続してＬ字形に屈曲して支柱１の側壁１２を押し当てる第２の押当面６２と、第１の押当面６１の一端から第２の押当面６２に向かって延び第２の押当面６２を通過する位置から前記支柱１の第２のスリット１５に挿入し得る所定の角度をなして延びる突出部６３とを備えたものである。第１の押当面６１の所定箇所には前記横板５３ｄに設けたネジ孔５３ｅに対応し得る長孔６１ａを設けている。
【００２７】
棚４を支柱１に取り付けるには、左右の支持部材４１の側板４１ａに設けたフック４１ｆを支柱１の前壁１１に２列に形成した第１のスリット１４のうち内方側の前記スリットを介して開放されているフック孔１ａにそれぞれ挿入し得る位置に棚４を支柱１の前壁１１側に持ち来し、フック４１ｆをフック孔１ａに挿入するとフック４１ｆの基端部の下向き面がフック孔１ａを形成する上向き面に当たり、なおかつ、爪部の内向き面が取付金具１Ａの裏面に当たることにより、フック４１ｆとフック孔１ａが相互に緊密に係わり合って棚４を左右の支柱１に支持させることができる。この場合、同時に、棚板部材４２の切欠部を支柱１の前壁１１及び側壁１２に嵌め合わせせることができるため、棚４の支柱１に対する位置決めを的確に行うことができ、取付作業を簡便なものとすることが可能となる。
【００２８】
また、拡張棚５を支柱１に取り付けるには、先ず、支持部材５１に設けたフック５１ｆを、支柱１の前壁１１に２列に形成した第１のスリット１４のうち外方側のスリットを介して開放しているフック孔１ａに挿入する。そして、前記と同様にフック５１ｆをフック孔１ａに係わり合わせることによって、拡張棚５を左右何れかの支柱１に片持ち的に支持させることができる。この場合、拡張棚板部材５２の切欠部が支柱の前壁１１及び側壁１２に嵌合され、拡張棚５の支柱１に対する位置決めを予め行うことができる。次に、固定部材６を図７に示す矢印の方向に略９０°回転させて突出部６３を拡張棚５の補強部材５３に形成した挿入開口部５３ｇに挿入し、引き続きその突出部６３を支柱１の側壁１２に形成した第２のスリット１５内に挿入する。そして、図８に図示するように、固定部材６の第１の押当面６１と補強部材５３の横板５３ｄが当接するとともに、第１の押当面６１に設けた長孔６１ａと拡張棚５の補強部材５３の横板５３ｄに設けたネジ孔５３ｅとが略同一軸線上に連続することとなり、固定部材６の側方から第１の押当面６１に設けた長孔６１ａを介してねじ要素たるボルト部材Ｖを挿入し、その下端部分Ｖ１を長孔６１ａを貫通してネジ孔５３ｅに緊締することによって、支柱１と拡張棚５を固定部材６を介して強連結し、支柱１に対する拡張棚５の取付を完了することができる。
【００２９】
このように、本実施形態では、支柱１の少なくとも一部に奥行方向及び巾方向に同時に延びる傾斜壁１３を形成するとともに、横架材３の両端に傾斜壁１３に対応する角度をなして延びる横壁３２を設け、傾斜壁１３と横壁３２を引きつけて固定するネジ要素Ｎを用いて横架材３を支柱１に取り付ける構造としているため、支柱１と横架材３との取付部分を奥行方向及び巾方向に同時に延びる傾斜壁１３に設ける構成となり、ネジ要素Ｎの緊締力の低下に伴うネジ止め部分を支点とするラック全体の平行四辺形状の変形や支柱１の首振り動作を防ぎ、適正な使用状態を維持することができる。また、このような構造であれば、支柱１の斜め方向からネジ要素Ｎを固定して横架材３を支柱１に取り付けるため、ネジ止めのための十分な作業空間を確保することができる。
【００３０】
特に、横壁３２の一部を貫通するネジ要素Ｎのネジ作用により横壁３２を傾斜壁１３に圧接させて横架材３を支柱１に取り付けるため、横架材３を支柱１に簡単かつ緊密に固定することができ、十分な取付強度を付与することが可能となり、ふらつきの発生を効果的に抑制することができ、適正な使用状態を確保することができるとともに、取付作業性をさらに向上させることもできる。
【００３１】
また、傾斜壁１３の一部に第３のスリット１６を設け、この第３のスリット１６に収容した板ナット１Ｂにネジ要素Ｎを係わり合わせるようにしているので、支柱１が一体に押し出し成形されたのものであっても、別部材である板ナット１Ｂを用いてネジ要素Ｎと係わり合う構造を支柱１の内部に容易に設けることができる。しかも、ネジ要素Ｎと係わり合う構造の具体的な大きさや形状をネジ要素Ｎの種類等に対応させて適宜設計変更することが可能となり、第３のスリット１６内におけるネジ要素Ｎと板ナット１Ｂとの係わり合いを確実に行うができ、横架材３の支柱１への取付強度を有効に高めることができる。
【００３２】
さらに、第３のスリット１６がネジ要素Ｎを挿入し得る連続溝状のものであり、板ナット１Ｂが第３のスリット１６に沿って延び所要箇所にネジ孔１ｂを有するものであるため、板ナット１Ｂの必要箇所に設けた何れかのネジ孔１ｂを選択してネジ要素Ｎを係わり合わせることができ、横架材３を所望の支柱１の高さ位置に容易に取り付けることができ、簡素な取付構造で適切な係わり合いを実現することができる。
【００３３】
また、第３のスリット１６が開口に対して内空の拡がったものであり、第３のスリット１６の長手方向に沿って板ナット１Ｂを挿入しているので、板ナット１Ｂを第３のスリット１６の内空に収容した状態において、ネジ孔１Ｂを開口を介して開放させることができるとともに、開口部分が板ナット１ｂのストッパとして機能し、適切な収容状態を確保することができる。
【００３４】
特に、傾斜壁１３の第３のスリット１６内に板ナット１Ｂを配置し、ネジ要素Ｎをネジ孔１ｂにねじ込んで横壁３２を傾斜壁１３に圧接させているため、より確実かつ緊密に横壁３２と傾斜面１３とを固定することができ、支柱１の巾方向のふらつきや首振り動作を防止して、安定した取付状態を確保することができる。
【００３５】
また、支柱１の後壁が奥行方向及び巾方向に同時に略４５゜の角度をなして延びる一対の傾斜壁１３により形成されているので、例えば複数の支柱１を配置した場合に、各支柱１間の後壁側に横架材３を取り付けることができ、支柱１の前壁１１側を例えば棚４等を取り付けるための領域として利用することが可能となり、様々な使用態様に対応し得ることができより実用性のあるものとなる。
【００３６】
なお、本発明は、以上に詳述した実施形態に限られるものではない。
【００３７】
例えば、様々な使用態様に応え得るために、支柱を複数配置し、相隣接する支柱の間に横架材を取り付けても構わない。
【００３８】
また、支柱は、その一部に傾斜壁が形成されているものであればよく、平断面視形状が概略ひし形形状や六角形状等のものであっても上記と同様の効果を発揮する。
【００３９】
また、支柱に取付可能な構成を有するバックパネルを横架材と併用して、又は単独で支柱間に取り付けても構わない。また、例えば机等のラック以外の構造体に本発明に係る取付構造を適用することもできる。無論、支柱の高さ、横架材の巾や奥行寸法等も自由に設計できることはいうまでもない。
【００４０】
その他、各部の具体的構成についても上記実施形態に限られるものではなく、本発明の趣旨を逸脱しない範囲で種々変形が可能である。以下、本発明の一実施形態を、図面を参照して説明する。
【００４１】
【発明の効果】
以上説明したように本発明によれば、使用時に生じ得る支柱のふらつきや首振り動作を抑制して安定した取付状態を維持することができるとともに、横架材を支柱に固定するための作業空間を確保して取付作業性をも向上させることができる横架材の取付構造を提供することができる。
【図面の簡単な説明】
【図１】本発明の一実施形態に係る横架材の取付構造を適用したラックを机等の天板上に載置した模式的な全体斜視図。
【図２】同実施形態に係る横架材の取付構造を適用したラックの正面図。
【図３】同平面図。
【図４】同側面図。
【図５】図２における一部省略したＡ−Ａ線平断面図。
【図６】同図におけるＡ−Ａ線近傍の拡大分解斜視図。
【図７】同図におけるＰ方向から固定部材取付部分を斜め前方から見た拡大斜視図。
【図８】同図におけるＰ方向から固定部材取付部分を斜め前方から見た拡大斜視図。
【符号の説明】
１・・・支柱
１３・・・傾斜壁
１６・・・第３のスリット（凹部）
１Ｂ・・・板ナット（台座）
１ｂ・・・ネジ孔
３・・・横架材
３２・・・横壁（取付面）
Ｎ・・・ネジ要素
【図１】
2004008498.tif 000003
【図２】
2004008498.tif 000004
【図３】
2004008498.tif 000005
【図４】
2004008498.tif 000006
【図５】
2004008498.tif 000007
【図６】
2004008498.tif 000008
【図７】
2004008498.tif 000009
【図８】
2004008498.tif 000010